(57)【特許請求の範囲】
【請求項１】
車両に搭載または牽引されることにより移動可能なスタジオであって、
床面を備える床部と、
複数の支柱と、各前記支柱に着脱自在に固定された複数の撮影装置とを備える撮影セットとを有し、
前記複数の支柱は、前記撮影セットを用いて被写体を撮影する撮影時に、平面視で円形状の仮想線に沿って配置された展開状態と、前記スタジオを移動させる際に前記展開状態を解除した非展開状態とに変位可能であることを特徴とするスタジオ。
【請求項２】
前記複数の支柱は、前記展開状態および前記非展開状態の双方において、前記床面に対してほぼ垂直に配置されている請求項１に記載のスタジオ。
【請求項３】
前記複数の支柱は、隣接する少なくとも２つの前記支柱の上端部および下端部を、それぞれ平面視で円弧状の連結部材で互いに連結することにより構成した少なくとも１つの枠体を含む請求項２に記載のスタジオ。
【請求項４】
前記枠体は、前記連結部材の一端部に位置する前記支柱を回動中心として、前記床部に対して回動する請求項３に記載のスタジオ。
【請求項５】
前記少なくとも１つの枠体は、互いに接近および離間可能な複数の前記枠体を含む請求項３または４に記載のスタジオ。
【請求項６】
前記複数の枠体の一部は、互いに連結されている請求項５に記載のスタジオ。
【請求項７】
前記複数の支柱は、それらの上端部において互いに連結されている請求項１または２に記載のスタジオ。
【請求項８】
前記複数の支柱は、それぞれ屈曲可能である請求項７に記載のスタジオ。
【請求項９】
前記展開状態で、前記複数の支柱の一部は、平面視で前記床部からはみ出すように配置され、前記非展開状態で、前記複数の支柱は、平面視で前記床部に包含されるように配置される請求項１ないし８のいずれかに記載のスタジオ。
【請求項１０】
さらに、前記床部から側方に突出可能に設けられ、平面視で前記床部からはみ出すように配置された前記支柱を支持する支持部を有する請求項９に記載のスタジオ。
【請求項１１】
さらに、前記床部から立設された側壁部を有し、
前記側壁部の少なくとも一部は、前記床部とほぼ平行となるように変位可能である請求項１ないし１０のいずれかに記載のスタジオ。
【請求項１２】
さらに、前記床部に対向して配置された天井部を有し、
前記天井部の少なくとも一部は、前記床部に対して接近および離間可能である請求項１ないし１１のいずれかに記載のスタジオ。
【請求項１３】
車両と、
前記車両に搭載または牽引された、請求項１ないし１２のいずれかに記載のスタジオとを有することを特徴とするスタジオ付車両。
【発明の詳細な説明】
【技術分野】
【０００１】
本発明は、スタジオおよびスタジオ付車両に関する。
【背景技術】
【０００２】
写真撮影をする場合、写真館等のスタジオを利用することがある。この場合、スタジオにまで出向く必要があり、不便である。これを解消するための移動スタジオ付き車が提案されている（特許文献１および特許文献２参照）。しかしながら、いずれの車も簡易な撮影設備しか備えておらず、高度な画像（例えば、３次元画像等）を撮影することはできない。
【先行技術文献】
【特許文献】
【０００３】
【特許文献１】特開平２−１１４２８号公報
【特許文献２】特開２００５−１５１９７４号公報
【発明の概要】
【発明が解決しようとする課題】
【０００４】
本発明は、出張して画像（特に、３次元画像）を取得可能なスタジオ、および、かかるスタジオを有するスタジオ付車両を提供することにある。
【課題を解決するための手段】
【０００５】
このような目的は、以下の（１）〜（１４）の本発明により達成される。
（１）  車両に搭載または牽引されることにより移動可能なスタジオであって、
床面を備える床部と、
複数の支柱と、各前記支柱に着脱自在に固定された複数の撮影装置とを備える撮影セットとを有し、
前記撮影セットを用いて被写体を撮影する撮影時に、前記複数の支柱は、平面視で円形状の仮想線に沿って位置していることを特徴とするスタジオ。【０００６】
（２）  前記複数の支柱は、前記撮影時において前記仮想線に沿って配置された展開状態と、前記スタジオを移動させる際に前記展開状態を解除した非展開状態とに変位可能である上記（１）に記載のスタジオ。
（３）  前記複数の支柱は、前記展開状態および前記非展開状態の双方において、前記床面に対してほぼ垂直に配置されている上記（２）に記載のスタジオ。【０００７】
（４）  前記複数の支柱は、隣接する少なくとも２つの前記支柱の上端部および下端部を、それぞれ平面視で円弧状の連結部材で互いに連結することにより構成した少なくとも１つの枠体を含む上記（３）に記載のスタジオ。
（５）  前記枠体は、前記連結部材の一端部に位置する前記支柱を回動中心として、前記床部に対して回動する上記（４）に記載のスタジオ。【０００８】
（６）  前記少なくとも１つの枠体は、互いに接近および離間可能な複数の前記枠体を含む上記（４）または上記（５）に記載のスタジオ。
（７）  前記複数の枠体の一部は、互いに連結されている上記（６）に記載のスタジオ。【０００９】
（８）  前記複数の支柱は、それらの上端部において互いに連結されている上記（２）または（３）に記載のスタジオ。
（９）  前記複数の支柱は、それぞれ屈曲可能である上記（８）に記載のスタジオ。
（１０）  前記展開状態で、前記複数の支柱の一部は、平面視で前記床部からはみ出すように配置され、前記非展開状態で、前記複数の支柱は、平面視で前記床部に包含されるように配置される上記（２）ないし（９）のいずれかに記載のスタジオ。【００１０】
（１１）  さらに、前記床部から側方に突出可能に設けられ、平面視で前記床部からはみ出すように配置された前記支柱を支持する支持部を有する上記（１０）に記載のスタジオ。
（１２）  さらに、前記床部から立設された側壁部を有し、
前記側壁部の少なくとも一部は、前記床部とほぼ平行となるように変位可能である上記（１）ないし（１１）のいずれかに記載のスタジオ。【００１１】
（１３）  さらに、前記床部に対向して配置された天井部を有し、
前記天井部の少なくとも一部は、前記床部に対して接近および離間可能である上記（１）ないし（１２）のいずれかに記載のスタジオ。
（１４）  車両と、
前記車両に搭載または牽引された、上記（１）ないし（１３）のいずれかに記載のスタジオとを有することを特徴とするスタジオ付車両。
【発明の効果】
【００１２】
本発明によれば、依頼者の求めに応じて出張して、被写体の画像（特に、３次元画像）を取得することができる。
【図面の簡単な説明】
【００１３】
【図１】図１は、本発明のスタジオ付車両を示す斜視図である。
【図２】図２は、図１中のＡ−Ａ線断面図である。
【図３】図３は、図１に示すスタジオ付車両の背面図である。
【図４】図４は、スタジオの概略構成を示す斜視図である。
【図５】図５は、枠体の構成および配置を示す平面図である。
【図６】図６は、天井部に設けられたカメラの配置を説明するための平面透視図である。
【図７】図７は、カメラの配置を説明するための概略図である。
【図８】図８は、撮影セットの他の構成例を示す図である。
【図９】図９は、撮影セットの他の構成例を示す図である。
【図１０】図１０は、撮影セットの他の構成例を示す図である。
【図１１】図１１は、撮影セットの他の構成例を示す図である。
【図１２】図１２は、撮影セットの他の構成例を示す図である。
【図１３】図１３は、撮影セットの他の構成例を示す図である。
【発明を実施するための形態】
【００１４】
以下、本発明のスタジオおよびスタジオ付車両について、添付図面に示す好適実施形態に基づいて詳細に説明する。
【００１５】
図１は、本発明のスタジオ付車両を示す斜視図、図２は、図１中のＡ−Ａ線断面図、図３は、図１に示すスタジオ付車両の背面図、図４は、スタジオの概略構成を示す斜視図、図５は、枠体の構成および配置を示す平面図、図６は、天井部に設けられたカメラの配置を説明するための平面透視図、図７は、カメラの配置を説明するための概略図、図８〜図１３は、撮影セットの他の構成例を示す図である。
【００１６】
なお、図１〜図３、図５および図８〜図１０において、（ａ）は、スタジオ付車両の移動時（支柱の非展開状態）を示し、（ｂ）は、被写体の撮影時（支柱の展開状態）を示す。また、各部材の上下方向は、スタジオ付車両の移動時（支柱の非展開状態）に基づいて規定する。
【００１７】
本発明のスタジオ付車両は、所望の場所に移動して、当該場所において被写体の撮影を行うことが可能な車両である。図１に示すスタジオ付車両１００は、キャブ９００と、キャブ９００の後方に接続され、前後方向に延びるシャーシフレーム９１０と、シャーシフレーム９１０に回転可能に取り付けられた複数のタイヤ９２０と、シャーシフレーム９１０上に、縦根太および横根太（図示せず）を介して設けられたスタジオ１および操作室１０とを有する。なお、操作室１０は、キャブ９００とスタジオ１との間に配置されている。
【００１８】
スタジオ１は、コンテナ（箱形の荷台）２を有する。このコンテナ２は、床部２１と、床部２１から立設した前側壁部２２、後側壁部２３、右側壁部２４および左側壁部２５と、床部２１に対して接近および離間可能に床部２１に対向して配置された天井部２６とで構成されている。なお、右側壁部２４および左側壁部２５には、それぞれ開口部２４９および開口部２５９が形成されている。
【００１９】
図１（ａ）および図２（ａ）に示すように、スタジオ付車両１００の移動時において、開口部２４９（２５９）は、第１パネル３１および第２パネル３２で閉じられている。第１パネル３１は、その上端部が天井部２６の側端部に回動自在に接続され、下端部が第２パネル３２の上端部に回動自在に接続されている。なお、第１パネル３１は、駆動機構４１により天井部２６に対して回動可能となっている。また、第２パネル３２の下端部は、スタジオ付車両１００の移動時に、コンテナ２内に収納された第３パネル３３の上端部に接続されている。本実施形態では、右側壁部２４および左側壁部２５の一部が第１パネル３１および第２パネル３２で構成されるが、右側壁部２４および左側壁部２５の全体が第１パネル３１および第２パネル３２で構成されてもよい。
【００２０】
さらに、図２（ａ）に示すように、開口部２４９（２５９）に対応する位置には、スタジオ付車両１００の移動時に、コンテナ２内に収納された第４パネル３４および第５パネル３５が設けられている。第４パネル３４は、その一端部が床部２１の側端部に回動自在に接続され、他端部が第５パネル３５に回動自在に接続されている。
【００２１】
一方、被写体の撮影時には、図１（ｂ）および図２（ｂ）に示すように、開口部２４９（２５９）は、コンテナ２の側面視で、第１パネル３１〜第５パネル３５で覆われる。なお、第１パネル３１〜第５パネル３５で囲まれる前方および後方の領域には、それぞれ開口が形成されるが、これらの開口は、遮光幕５１を取り付けることにより閉じられる。これにより、被写体の撮影時に、開口部２４９（２５９）から、外光がコンテナ２内に入射するのを防止することができる。
【００２２】
天井部２６と床部２１との間には、それらの四隅に対応して、４つの駆動機構４２が設けられており、この駆動機構４２により、天井部２６は、床部２１に対して接近および離間（上下方向への移動）が可能となっている。本実施形態では、天井部２６の全体が床部２１に対して接近および離間可能であるが、天井部２６の一部（例えば、後述する撮影セット６に対応する中央部付近）のみが床部２１に対して接近および離間可能であってもよい。なお、駆動機構４２および駆動機構４１には、それぞれ油圧式の駆動機構が好適に使用される。この天井部２６の上方向への移動に伴って、上側部分と下側部分とで構成された各側壁部２２〜２５は、それぞれ上下に分離される。
【００２３】
具体的には、前側壁部２２は、上側部分２２１と下側部分２２２とで構成され、後側壁部２３は、上側部分２３１と下側部分２３２とで構成されている。また、右側壁部２４は、上側部分２４１と下側部分２４２とで構成され、左側壁部２５は、上側部分２５１と下側部分２５２とで構成されている。また、後側壁部２３の下側部分２３２には、その中央部にドア２３３が設けられている。このドア２３３を介して、コンテナ２内に入出可能となっている。
【００２４】
各上側部分と各下側部分との間には、上下方向に伸縮自在な蛇腹状の遮光幕５２が設けられている。これにより、被写体の撮影時に、図１（ｂ）および図２（ｂ）に示すように天井部２６を床部２１から離間させると、遮光幕５２が展開された状態となる、このため、各上側部分と各下側部分との間から、外光がコンテナ２内に入射するのを防止することができる。一方、スタジオ付車両１００の移動時には、遮光幕５２は、折り畳まれた状態で、各上側部分と各下側部分との間に収納される。
【００２５】
このようなコンテナ２の内部には、撮影セット６が設けられている。本実施形態の撮影セット６は、一対の枠体７、７と、複数台のカメラ（撮影装置）８と、ステージ９とを備えている。各枠体７は、床部２１の床面（上面）に対してほぼ垂直に配置され、カメラ８を着脱自在に固定するための８本の支柱７１１〜７１８を備えている。
【００２６】
本実施形態では、隣接する６本の支柱７１１〜７１６の上端部、下端部および中間部は、それぞれ平面視で円弧状の連結部材７２、７３および７４で互いに連結され、メイン枠体７ａが構成されている。また、隣接する３本の支柱７１６〜７１８の上端部、下端部および中間部も、それぞれ平面視で円弧状の連結部材７２、７３および７４で互いに連結され、サブ枠体７ｂが構成されている。
【００２７】
図５（ａ）に示すように、各メイン枠体７ａは、その一端部に位置する支柱７１１を回動中心として、床部２１に対して回動可能となっている。また、各メイン枠体７ａと各サブ枠体７ｂとは、支柱７１６を共有することで、互いに連結されており、各サブ枠体７ｂは、この支柱７１６を回動中心として、メイン枠体７ａに対して回動可能となっている。すなわち、各枠体７は、一段階で折り畳み可能となっている。
【００２８】
被写体の撮影時（撮影セット６を用いて被写体を撮影する撮影時）には、メイン枠体７ａ同士を互いに離間させるように、外方に回動させるとともに、各サブ枠体７ｂを各メイン枠体７ａから離間させるように、外方に回動させる。これにより、図５（ｂ）に示すように、各メイン枠体７ａおよび各サブ枠体７ｂ（支柱７１１〜７１８）を平面視で円形状の仮想線Ｌに沿って位置するように配置する。すなわち、各メイン枠体７ａおよび各サブ枠体７ｂ（支柱７１１〜７１８）を、展開状態とする。
【００２９】
この展開状態において、円形状の仮想線Ｌの中心部にステージ９が配置される。一方、スタジオ付車両１００の移動時には、ステージ９を取り外し、各サブ枠体７ｂを各メイン枠体７ａに接近させるように、内方に回動させるとともに、メイン枠体７ａ同士を互いに接近させるように、内方に回動させ、展開状態を解除する。これにより、図５（ａ）に示すように、各メイン枠体７ａおよび各サブ枠体７ｂ（支柱７１１〜７１８）が、平面視で床部２１に包含されるように配置する。すなわち、各メイン枠体７ａおよび各サブ枠体７ｂ（支柱７１１〜７１８）を、非展開状態とする。
【００３０】
このように、本実施形態では、各メイン枠体７ａおよび各サブ枠体７ｂ（支柱７１１〜７１８）は、展開状態と非展開状態とに移動（変化）可能となっている。図示しないが、メイン枠体７ａおよび／またはサブ枠体７ｂの下部には、車輪が設けられており、その移動操作を容易かつ円滑に行うことができるようになっている。なお、各メイン枠体７ａおよび各サブ枠体７ｂの移動は、手動で行うように構成してもよく、駆動装置により行うように構成してもよい。
【００３１】
また、展開状態において、一部の支柱７１２〜７１６は、平面視で床部２１からはみ出すように配置されるが、床部２１とほぼ平行となるように外方に突出する第４パネル（支持部）３４によって支持される。
【００３２】
また、床部２１の支柱７１１近傍には、ストッパ７９が設けられている。メイン枠体７ａがストッパ７９に当接することで、その必要以上の回動が規制される。また、メイン枠体７ａをストッパ７９に固定するようにすれば、展開状態において、各メイン枠体７ａおよび各サブ枠体７ｂが床部２１に対して位置ズレするのをより正確に防止することができる。
【００３３】
図４および図５に示す構成では、各支柱７１１〜７１８の横断面は、円形であるが、楕円形であってもよく、図１２に示すような四角形（正方形または長方形）であってもよく、また、三角形、五角形、六角形のような多角形、異形状等であってもよい。各支柱７１１〜７１８の直径（最大幅）は、各支柱７１１〜７１８が十分な強度を確保することができ、かつカメラ８を確実に固定することができれば、特に限定されない。各支柱７１１〜７１８の直径（最大幅）は、例えば、１０〜７５ｍｍ程度であるのが好ましく、２０〜５０ｍｍ程度であるのがより好ましい。
【００３４】
また、図４に示す構成では、各連結部材７２〜７４の横断面も、円形であるが、各支柱７１１〜７１８と同様に、楕円形、三角形、四角形、五角形、六角形のような多角形、異形状等であってもよい。各連結部材７２〜７４の直径（最大幅）も、特に限定されないが、１０〜７５ｍｍ程度であるのが好ましく、２０〜５０ｍｍ程度であるのがより好ましい。
【００３５】
枠体７（支柱７１１〜７１８および連結部材７２〜７４）の構成材料としては、例えば、アルミニウム、鉄、銅、チタンまたはこれらを含む合金のような金属材料、ポリ塩化ビニル、ポリカーボネート、ポリフェニレンオキサイド、アクリル樹脂、ＡＢＳ樹脂、ＡＳＡ樹脂、ＡＳ樹脂、ＡＥＳ樹脂、ポリアミド樹脂、フェノール樹脂のような比較的硬質な樹脂材料、カーボンのような炭素材料等が挙げられ、これらの１種または２種以上を組み合わせて用いることができる。
【００３６】
１６本の支柱７１１〜７１８のそれぞれには、図７に示すように、４台のカメラ８（８ａ〜８ｄ）が固定されている。また、天井部２６の下面には、図６に示すように、天井部２６の対角線に沿って、固定バー２６１が設けられている。固定バー２６１は、平面視において、展開状態の支柱７１１および支柱７１７とほぼ重なるように配置されている。各固定バー２６１の両端部付近には、それぞれ２台のカメラ８（８ｅ）が固定されている。さらに、床部２１の床面上には、天井部２６に設けられたカメラ８ｅに対応して、８台のカメラ８（８ｆ）が配置される。
【００３７】
したがって、被写体の撮影時には、被写体には、周囲（側方）から６４台のカメラ８（８ａ〜８ｄ）が向けられ、上方から８台のカメラ８（８ｅ）が向けられ、下方から８台のカメラ８（８ｆ）が向けられるようになる。これにより、合計８０台のカメラ８で、被写体を種々の方向から撮影することができるようになる。よって、かかる撮影セット６（スタジオ１）によれば、正確な被写体の高度な画像（例えば、３次元画像）を取得することができる。
【００３８】
撮影セット６の各部の設定は、被写体の種類や数等に応じて適宜変更することが可能である。図７に示すように、被写体が人間１人である場合、撮影セット６の各部の設定は、例えば、次のようにすることが好ましい。これにより、被写体の撮影できないまたは不鮮明となり易い部分を極力少なくして、より正確かつ精密な被写体の高度な画像を取得することができる。
【００３９】
図７に示すように、各支柱７１１〜７１８の中心軸とステージ９の中心との距離Ｄは、２１００〜２５００ｍｍ程度である。ステージ９の高さＨは、７０〜１３０ｍｍ程度である。支柱７１１、７１７の中心軸とカメラ８ｅ、８ｆの固定点との距離ｄは、３５０〜４００ｍｍ程度である。
【００４０】
床面とカメラ８ａの固定点との距離ｈａは、２１００〜２５００ｍｍ程度である。床面とカメラ８ｂの固定点との距離ｈｂは、１６００〜２０００ｍｍ程度である。床面とカメラ８ｃの固定点との距離ｈｃは、１１００〜１５００ｍｍ程度である。床面とカメラ８ｄの固定点との距離ｈｄは、６００〜１０００ｍｍ程度である。床面とカメラ８ｅの固定点との距離ｈｅは、２８００〜３２００ｍｍ程度である。床面とカメラ８ｆの固定点との距離ｈｆは、７０〜１３０ｍｍ程度である。
【００４１】
カメラ８ａの向き（カメラ８ａのレンズの中心軸と水平方向（床面）とのなす角度）は、−１０〜−５°程度である。同様に、カメラ８ｂの向きは、−５〜−１°程度である。カメラ８ｃの向きは、−１５〜−１０°程度である。カメラ８ｄの向きは、−２〜＋２°程度である。カメラ８ｅの向き（図７中、角度θ）は、−４０〜−５０°程度である。カメラ８ｆの向きは、＋１０〜＋２０°程度である。また、カメラ８ａ、８ｃ、８ｄ、８ｅ、８ｆの画角αは、２０〜３０°程度、カメラ８ｂ、８ｄの画角βは、２５〜３５°程度である。
【００４２】
また、図示しないが、支柱７１１〜７１８のうちの所定の支柱には、複数（例えば、８灯）のストロボ（照明装置）および少なくとも１台のストロボ制御用カメラが着脱自在に固定されている。このストロボは、被写体を直接照明するように構成された装置であってもよいが、被写体を間接的に照明するように構成された装置が好ましい。かかる装置を用いることにより、被写体に影となる部分が生じにくくなる。なお、スタジオ１には、さらに、室内照明、空調装置、冷暖房装置等を設けるようにしてもよい。
【００４３】
このようなスタジオ１に隣接して、操作室１０が設けられている。操作室１０は、仕切り壁により、前方側の第１空間１１と後方側の第２空間１２とに区画されている。図示しないが、操作室１０の左側壁部には、第１空間１１および第２空間１２に対応して２つのドアが設けられている。ドアを介して、それぞれ第１空間１１および第２空間１２内への作業者の出入りや、装置等の入搬出が可能である。
【００４４】
第１空間１１内には、スタジオ１の各部（例えば、カメラ８、駆動機構４１、４２等）に電力を供給するための電源（例えば、４０ＫＶＡ等の大容量電源）が配置されている。一方、第２空間１２内には、カメラ８、ストロボ装置等の作動を制御する制御用コンピュータ（制御装置）、カメラ８で撮影された画像を処理するためのレンダリング用コンピュータ、レンダリング用コンピュータで処理された画像を表示するためのモニター（表示装置）等が配置されている。なお、第１空間１１および第２空間１２には、さらに、室内照明、空調装置、冷暖房装置等を設けるようにしてもよい。
【００４５】
以上説明したスタジオ付車両１００は、例えば、次のようにして使用される。
【００４６】
まず、スタジオ付車両１００を依頼者の求めに応じた場所にまで移動させる。スタジオ付車両１００を所定のスペースに駐車した後、駆動機構４２を作動させる。これにより、天井部２６を上方に移動させ、図１（ｂ）および図２（ｂ）に示すように、天井部２６を床部２１から離間させる。その後またはこれと同時に、駆動機構４１を作動させる。これにより、第１パネル３１を天井部２６とほぼ平行になるまで回動（変位）させる。このとき、第１パネル３１に直接または間接的に接続された第２パネル３２および第３パネル３３は、鉛直上方に向かって引き上げられ、床部２１に対してほぼ垂直となる。
【００４７】
また、第４パネル３４を床部２１とほぼ平行になるまで回動させるとともに、第５パネル３５を第４パネル３４（床部２１）に対してほぼ垂直となるように立ち上げる。そして、第３パネル３３の下端部と第５パネル３５の上端部とを、図示しない固定機構を用いて、互いに固定する。また、４枚の遮光幕５１を必要な箇所に取り付ける。これにより、スタジオ１は、図１（ｂ）等に示す状態となる。この状態で、コンテナ２の内部への外光の入射も防止される。
【００４８】
次に、メイン枠体７ａ同士を互いに離間させるように外方に向かって回動（変位）させる。各メイン枠体７ａをストッパ７９に当接するまで回動させた後、ストッパ７９に固定する。その後またはこれと同時に、各サブ枠体７ｂを各メイン枠体７ａから離間するように回動させる。その後、各メイン枠体７ａおよび各サブ枠体７ｂ（支柱７１１〜７１８）を、ほぼ等間隔で、平面視で円形の仮想線Ｌに沿って位置させる。すなわち、各メイン枠体７ａおよび各サブ枠体７ｂ（支柱７１１〜７１８）を展開状態とする。その後、所定の位置に、ステージ９、カメラ８ｆおよびストロボを配置する。また、必要に応じて、２つの枠体７の外周を白色の幕で覆う。
【００４９】
次いで、被写体をステージ９上に配置し、制御用コンピュータを操作して複数台のカメラ８を同時にまたは分割して作動させ、複数台のカメラ８により被写体を撮影する。各カメラ８で撮影された画像を用いて、レンダリング用コンピュータに内蔵された処理ソフトにより、例えば、３次元画像を作成（取得）する。得られた３次元画像は、モニターに表示される。表示された３次元画像が所望の画像でない場合、カメラ８の位置や角度、ストロボの強度の微調整等を行って、所望の画像を取得することができるまで、上記撮影操作を繰り返す。なお、取得すべき画像としては、静止画に限らず、動画であってもよいことは言うまでもない。
【００５０】
一方、被写体の撮影終了後、スタジオ付車両１００を移動する際には、各メイン枠体７ａおよび各サブ枠体７ｂの展開状態を解除して、これらを上記と反対に回動（変位）させ、平面視で床部２１に包含されるように配置する。これにより、各メイン枠体７ａおよび各サブ枠体７ｂ（支柱７１１〜７１８）を非展開状態とする。次いで、第１〜第５パネル３１〜３５を、上記と反対に回動（変位）させ、第１パネル３１および第２パネル３２で、右側壁部２４および左側壁部２５の開口部２４９、２５９を塞ぐ。これにより、スタジオ１は、図１（ａ）等に示す状態となり、スタジオ付車両１００の移動が可能となる。
【００５１】
以上説明したように、本発明によれば、スタジオ１（スタジオ付車両１００）を依頼者の求めに応じて出張して、被写体を撮影することができる。そして、被写体の撮影により、被写体の画像を取得することができる。また、上述のようなカメラ配置とすることにより、被写体の３次元画像を容易かつ確実に取得することができる。
【００５２】
さらに、上記構成により、枠体７（支柱７１１〜７１８）の展開状態において、被写体の撮影に必要かつ十分なスペースを確保することができる。また、展開状態において比較的大きなサイズの撮影セット６を、スタジオ付車両１００の移動時には、非展開状態としてコンテナ２内に収納することができる。よって、スタジオ１（スタジオ付車両１００）の移動に便利である。
【００５３】
特に、本実施形態では、支柱７１１〜７１８が、展開状態および非展開状態の双方において、床部２１の床面に対してほぼ垂直に配置されている。このため、支柱７１１〜７１８の展開状態と非展開状態との間での移動を、水平面に対してほぼ平行に行うことができる。換言すれば、支柱７１１〜７１８を床部２１の床面に対して垂直となるように立ち上げる操作等を要しない。このため、被写体の撮影の準備に要する作業者の労力を軽減することができる。
【００５４】
また、各枠体７を、４本の支柱７１１〜７１４を含むメイン枠体と、このメイン枠体に対して回動可能に設けられ、３本の支柱７１４〜７１６を含む第１のサブ枠体と、この第１のサブ枠体に対して回動可能に設けられ、３本の支柱７１６〜７１８を含む第２のサブ枠体とで構成するようにしてもよい。これにより、各枠体７を、二段階で折り畳み可能とすることができる。さらに、各枠体７において、各サブ枠体が含む支柱の数を２本とし、サブ枠体の数を３つ以上としてもよい。これにより、各枠体７を、多段階で折り畳み可能とすることができる。
【００５５】
なお、撮影セット６は、図５に示す構成に代えて、図８〜図１３に示す構成とすることもできる。以下、図８〜図１３に示す構成の撮影セット６について、図５に示す構成の撮影セット６との相違点を中心に説明し、同様の事項は、その説明を省略する。
【００５６】
＜図８に示す構成＞
図８に示す撮影セット６において、各枠体７は、隣接する４本の支柱７１１〜７１４を備える分割枠体７ｃと、隣接する４本の支柱７１５〜７１８を備える分割枠体７ｄとで構成されている。図８（ａ）に示すように、分割枠体７ｃは、その一端部に位置する支柱７１１を回動中心として、床部２１に対して回動可能となっており、分割枠体７ｄは、その一端部に位置する支柱７１８を回動中心として、床部２１に対して回動可能となっている。また、床部２１には、４つの分割枠体７ｃ、７ｄに対応して、４つのストッパ７９が設けられている。
【００５７】
各分割枠体７ｃ、７ｄ（支柱７１１〜７１８）は、図８（ｂ）に示す展開状態で、平面視で円形の仮想線Ｌに沿って位置している。このような構成によっても、図５に示す枠体７（撮影セット６）と同様の作用・効果が得られる。
【００５８】
＜図９に示す構成＞
図９に示す撮影セット６において、各枠体７は、図５と同様に、メイン枠体７ａとサブ枠体７ｂとで構成されている。また、床部２１には、支柱７１１を左右方向（床部２１の幅方向）に沿ってスライド可能に保持する溝７８が設けられている。かかる構成により、各メイン枠体７ａは、床部２１に対してスライドし、各サブ枠体７ｂは、支柱７１６を回動中心として、メイン枠体７ａに対して回動可能となっている。
【００５９】
また、溝７８の左右端は、ストッパとして機能する。このため、支柱７１１が溝７８の左右端に当接すると、枠体７は、床部２１に対するスライド（平行移動）が規制させる。このような構成によっても、図５に示す枠体７（撮影セット６）と同様の作用・効果が得られる。
【００６０】
＜図１０に示す構成＞
図１０に示す撮影セット６では、支柱７１１〜７１８は、互いに独立して設けられている。また、第４パネル３４を開いた状態で、床部２１または床部２１と第４パネル３４とに渡って、支柱７１１〜７１８をスライド可能に保持する複数の溝７８が設けられている。これらの溝７８は、図１０（ｂ）に示すように、ほぼ等間隔で、放射状に配置されている。
【００６１】
かかる構成により、スタジオ付車両１００の移動時には、図１０（ａ）に示すように、支柱７１１〜７１８を床部２１の中央部付近に集合させて配置することができる。一方、被写体の撮影時には、支柱７１１〜７１８を溝７８に沿って放射状に展開して、図１０（ｂ）に示すように、平面視で円形状の仮想線に沿って配置させることができる。
【００６２】
このような構成によっても、図５に示す枠体７（撮影セット６）と同様の作用・効果が得られる。
【００６３】
＜図１１および図１２に示す構成＞
図１１に示す撮影セット６では、各支柱７１１〜７１８は、４つの分割片７１ａを３つの連結片７１ｂで連結して構成されている。２つの分割片７１ａの対向する部分には、溝７１０ａが形成されており、各溝７１０ａに連結片７１ｂの端部が挿入されている。分割片７１ａと連結片７１ｂとは、図１０（ｃ）に示すように、これらが側面視で重なる部分において、ボルト７１ｃで固定されている。かかる構成において、連結片７１ｂは、ボルト７１ｃを回動中心として、分割片７１ａに対して回動可能となっている。すなわち、各支柱７１１〜７１８は、それぞれ屈曲可能となっている。
【００６４】
また、各支柱７１１〜７１８は、その上端側に位置する分割片７１ａが連結部７５において放射状に連結されている。非展開状態では、各支柱７１１〜７１８を折り畳むことにより、コンテナ２内に収納することができる。また、展開状態では、支柱７１１〜７１８で、図１２（ａ）に示すような籠形状を形成してもよく、図１２（ｂ）に示すようなドーム形状を形成してもよい。この際、各支柱７１１〜７１８（その床部２１側の端部）を、平面視で円形の仮想線に沿って位置させる。
【００６５】
かかる構成によれば、天井部２６に配置すべきカメラ８（８ｅ）を支柱７１１〜７１８に固定することができるため、天井部２６の構成を簡略化することができる。特に、図１２（ｂ）に示すように、支柱７１１〜７１８でドーム形状を形成することにより、より正確な被写体の３次元画像を取得し易くなる。
【００６６】
なお、床部２１の床面には、平面視で円形の仮想線に沿って配置され、支柱７１１〜７１８の床部２１側の端部を挿入可能な複数の穴部を設けるようにしてもよい。これにより、支柱７１１〜７１８の床部２１に対する位置決めが確実になされる。また、１６本の支柱７１１〜７１８のうちの１本の支柱を床部２１に固定するようにしてもよい。
【００６７】
また、各分割片７１ａおよび各連結片７１ｂの側面には、これらのなす角度を示す目盛が形成されていてもよい。
【００６８】
＜図１３に示す構成＞
図１３に示す撮影セット６では、平面視で半円弧状の枠体７が一方のスタジオ１（スタジオ付車両１００）に搭載され、平面視で半円弧状の枠体７が他方のスタジオ１（スタジオ付車両１００）に搭載されている。また、２つの枠体７は、それらの湾曲凸方向が互いに反対となるように配置されている。この状態で、各枠体７の支柱７１１〜７１８は、平面視で円形状の仮想線に沿って位置している。
【００６９】
被写体の撮影時には、図１３に示すように、２台のスタジオ付車両１００を並べて駐車し、各枠体７の支柱７１１〜７１８を、平面視で円形状の同一の仮想線Ｌに沿って位置させる。かかる構成によれば、車両が２台必要になるものの、スタジオ１の構成を簡略化することができる。
【００７０】
以上、本発明のスタジオおよびスタジオ付車両を図示の実施形態について説明したが、本発明は、これに限定されるものではない。例えば、スタジオおよびスタジオ付車両を構成する各部は、同様の機能を発揮し得る任意の構成のものと置換することができる。また、任意の構成物が付加されていてもよい。
【００７１】
例えば、前記実施形態では、スタジオ付車両は、スタジオを搭載したトラックであるが、撮影セットを搭載した大型バスであってもよく、スタジオを牽引したトラックであってもよい。また、操作室を別の車両に搭載してもよく、電源のみを別の車両に搭載するようにしてもよい。さらに、電源のみを別の車両に搭載する場合、制御用コンピュータ、レンダリング用コンピュータおよびモニターをコンテナ内に収納するようにしてもよい。
【００７２】
また、展開状態において平面視で床部からはみ出す支柱を支持する第４パネル（コンテナの一部）は、床部に対して回動可能な構成に代えて、床部から側方に進退可能な構成としてもよい。さらに、第４パネルを省略して、スタジオは、別途、前記はみ出す支柱を支持する支持台を有していてもよい。
【００７３】
また、図５および図９に示す構成の撮影セットでは、必要に応じて、２つの枠体のうちの一方のみを展開状態として使用してもよい。さらに、図８に示す構成の撮影セットでは、必要に応じて、４つの分割枠体のうちの１〜３つの分割枠体を展開状態として使用してもよい。
【００７４】
また、図５および図８〜図１３に示す撮影セットの構成を任意に組み合わせるようにしてもよい。
なお、前記実施形態では、１６本の支柱が設けられているが、支柱の数は、これに限定されず、好ましくは３本以上（具体的には３〜３０本）、より好ましくは５本以上（具体的には５〜２５本）、さらに好ましくは７本以上（具体的には７〜２０本）の範囲で適宜設定される。
【００７５】
また、前記実施形態では、スタジオ付車両を移動する際と被写体の撮影時とで、コンテナの大きさが可変であるが、コンテナの大きさは可変でなくてもよい。コンテナの大きさが可変でない場合、枠体（支柱）の非展開状態で、コンテナ内に収納可能な小型の撮影セットが用いられる。この場合、スタジオおよびスタジオ付車両の構成の簡略化を図ることができる。
【産業上の利用可能性】
【００７６】
本発明によれば、車両に搭載または牽引されることにより移動可能なスタジオは、床面を備える床部と、複数の支柱と、各前記支柱に着脱自在に固定された複数の撮影装置とを備える撮影セットとを有し、前記撮影セットを用いて被写体を撮影する撮影時に、前記複数の支柱は、平面視で円形状の仮想線に沿って位置している。これにより、依頼者の希望する場所まで出張して、被写体の画像（特に、３次元画像）を取得することができる。したがって、本発明は、産業上の利用可能性を有する。
【要約】
本発明のスタジオは、車両に搭載または牽引されることにより移動可能であり、床面を備える床部と、複数の支柱と、各前記支柱に着脱自在に固定された複数の撮影装置とを備える撮影セットとを有し、前記撮影セットを用いて被写体を撮影する撮影時に、前記複数の支柱は、平面視で円形状の仮想線に沿って位置している。これにより、依頼者の希望する場所まで出張して、被写体の画像（特に、３次元画像）を取得することができる。【図１】
0005738504.tif 000002
【図２】
0005738504.tif 000003
【図３】
0005738504.tif 000004
【図４】
0005738504.tif 000005
【図５】
0005738504.tif 000006
【図６】
0005738504.tif 000007
【図７】
0005738504.tif 000008
【図８】
0005738504.tif 000009
【図９】
0005738504.tif 000010
【図１０】
0005738504.tif 000011
【図１１】
0005738504.tif 000012
【図１２】
0005738504.tif 000013
【図１３】
0005738504.tif 000014